(57)【要約】【課題】複数の電気錠装置への登録作業を行うことなく、新規の施解錠キーを作製すること。【解決手段】施解錠に必要な鍵ＩＤと、使用される施解錠キーを識別するための識別情報とを含む施解錠情報を記憶し、施解錠対象となる電気錠装置１０に対して識別情報が登録された既存施解錠キー２０Ａから、コンピュータネットワークを介してダウンロードした施解錠アプリケーションをインストールした新規施解錠キー２０Ｂに施解錠情報をデータ移行するとともに、ダウンロード完了後に新規施解錠キー２０Ｂから既存施解錠キー２０Ａに対して使用不可情報が出力される。【選択図】図１
2013185347.tif 000002
【特許請求の範囲】
【請求項１】
施解錠に必要な鍵ＩＤと、使用される施解錠キーを識別するための識別情報とを含む施解錠情報を記憶し、施解錠対象となる電気錠装置に対して前記識別情報が登録された施解錠キーが所定操作されたときに読み取った前記施解錠情報を正常に認証したときにのみ錠を電気的に制御する電気錠システムにおいて、
コンピュータネットワークを介してダウンロードした施解錠操作時に起動する施解錠用アプリケーションがインストール可能な通信端末を新規の施解錠キーとし、
前記施解錠情報を記憶した既存の施解錠キーは、前記施解錠アプリケーションがインストール済みである新規の施解錠キーに対して前記施解錠情報をデータ移行し、
前記新規の施解錠キーは、前記施解錠情報のダウンロード完了後に、前記既存の施解錠キーに対して使用不可情報を出力することを特徴とする電気錠システム。
【発明の詳細な説明】
【技術分野】
【０００１】
本発明は、例えばホテルやオフィスビル等の商業施設や公共施設の入出口、集合住宅や一般住宅のエントランスや玄関等の扉に内蔵された錠前を電気的に施解錠制御する電気錠システムに関するものである。
【背景技術】
【０００２】
従来より、集合住宅や一般住宅のエントランスや各戸の玄関、ホテルやオフィスビル等の商業施設や公共施設の入出口等の建物の各種扉の錠前部分には、不審者の侵入を回避するため、セキュリティ性に富んだ電気錠システムが採用されている。
【０００３】
また、近年では、例えばＩＳＯ／ＩＥＣ  １４４４３（MIFARE）、ＩＳＯ／ＩＥＣ  １８０９２等で規格される電磁界や電波などを用いた近距離無線通信(Near Field Communicatio：ＮＦＣ、周波数帯によって通信距離は数ｃｍ〜数ｍ）を可能とするＲＦＩＤタグ（Radio Frequency Identification Tag）を搭載した携帯型リモコンキー、非接触型カードキー等を用いて施解錠時に必要な鍵ＩＤを記憶させた施解錠キーを利用し、施解錠キーが送信する鍵ＩＤを電気錠装置が取得し、この取得した鍵ＩＤの照合結果に基づき、モータやソレノイド等の駆動手段を駆動してデッドボルトを扉枠のストライクの係止穴に対して進退させることで電気的に錠の施解錠をしている。
なお、この種の電気錠システムとしは、例えば下記特許文献１に開示される電気錠が公知である。
【先行技術文献】
【特許文献】
【０００４】
【特許文献１】特許第４６６２７９４号
【発明の概要】
【発明が解決しようとする課題】
【０００５】
しかしながら、特許文献１を含む従来の電気錠システムでは、新規の施解錠キーが利用可能な状態とするには、利用者が通行する出入口に設置された全ての電気錠装置に対して使用する施解錠キーを識別可能な機器固有の個体識別情報（製造番号等）の登録作業が必要となる。このため、集合住宅や商業ビル等の入退出制限が必要なエリアが多数存在する施設の場合では、利用する全ての電気錠装置に対して新規の施解錠キーの登録作業を行わなければならず煩雑であった。
【０００６】
そこで、本発明は上記問題点に鑑みてなされたものであり、利用する全ての電気錠装置への登録作業を行わずして新規の施解錠キーを作製することのできる電気錠システムを提供することを目的とするものである。
【課題を解決するための手段】
【０００７】
上記した目的を達成するために、請求項１記載の電気錠システムは、施解錠に必要な鍵ＩＤと、使用される施解錠キーを識別するための識別情報とを含む施解錠情報を記憶し、施解錠対象となる電気錠装置に対して前記識別情報が登録された施解錠キーが所定操作されたときに読み取った前記施解錠情報を正常に認証したときにのみ錠を電気的に制御する電気錠システムにおいて、
コンピュータネットワークを介してダウンロードした施解錠操作時に起動する施解錠用アプリケーションがインストール可能な通信端末を新規の施解錠キーとし、
前記施解錠情報を記憶した既存の施解錠キーは、前記施解錠アプリケーションがインストール済みである新規の施解錠キーに対して前記施解錠情報をデータ移行し、
前記新規の施解錠キーは、前記施解錠情報のダウンロード完了後に、前記既存の施解錠キーに対して使用不可情報を出力することを特徴とする。
【発明の効果】
【０００８】
本発明の電気錠システムによれば、既存施解錠キーに記憶された施解錠情報を施解錠アプリをインストールした新規施解錠キーに移行する構成であるため、新規施解錠キーを施解錠対象となる電気錠装置に対して登録処理する必要なく、既存施解錠キーの機能を継続して利用することができる。また、既存施解錠キーに保存された施解錠情報を新規施解錠キーに移行した際に、既存施解錠キーに使用不可制限を掛けているため、万が一、既存施解錠キーから施解錠情報が不正に移行された場合でも、容易に気が付くことができる。
【図面の簡単な説明】
【０００９】
【図１】本発明に係る電気錠システムの装置構成を示す機能ブロック図である。
【図２】同システムにおける施解錠情報の移行処理を説明するための概念図である。
【図３】同システムにおける施解錠情報の再移行処理を説明するための概念図である。
【発明を実施するための形態】
【００１０】
以下、本発明を実施するための形態について、添付した図面を参照しながら詳細に説明する。なお、この実施の形態によりこの発明が限定されるものではなく、この形態に基づいて当業者等によりなされる実施可能な他の形態、実施例及び運用技術等はすべて本発明の範疇に含まれる。
【００１１】
まず、本発明に係る電気錠システム１の構成について、図１を参照しながら説明する。本形態では、電気錠システム１の導入先の一例として、例えばマンション等の集合住宅のように管理対象となるエリア（集合エントランス、施設内の共有スペース、各住戸等）が多数存在し、各エリアに配設した電気錠装置１０によって利用者の入退出制限をかける必要のある建物を対象としている。
【００１２】
なお、本例の電気錠システム１の導入先としては、上記施設の他に商業ビル、公共施設、ホテル等の大型施設や、一般的な戸建てや小規模な商店等の施解錠対象となる扉が少数の建物にも採用することができる。
【００１３】
図１に示すように、本例の電気錠システム１は、電気的に施解錠制御が可能な電気錠装置１０が集合エントランス、共用部分の各施設、各住戸等に配設され、予め施解錠対象となる電気錠装置１０に対して機器毎の識別情報を事前登録した施解錠キー２０を用いて所定の施解錠操作を行って錠を電気的に施解錠制御している。
【００１４】
まず、本例の電気錠システム１で使用される施解錠キー２０について説明する。
施解錠キー２０は、例えばユーザである住人が各住戸に配設された電気錠装置１０の施解錠操作時に用いる個人用施解錠キー２０、例えばユーザである清掃員が共用部分の清掃を行う際に共用部分等の限られたエリアの電気錠装置１０の施解錠操作が可能な管理用施解錠キー２０、例えば管理対象となる建物内における全ての電気錠装置１０の施解錠操作が可能な管理会社等が所有するマスター施解錠キー２０等の、使用用途に応じて予め決められたエリアへの入退出を可能とする権限が付与されたキーである。
【００１５】
施解錠キー２０は、例えばＩＳＯ／ＩＥＣ  １４４４３（MIFARE）、ＩＳＯ／ＩＥＣ  １８０９２等に準拠する電磁界や電波等を用いた近距離無線通信(Near Field Communicatio：ＮＦＣ、周波数帯によって通信距離は数ｃｍ〜数ｍ）を可能とするＣＰＵやＲＯＭ、ＲＡＭ、フラッシュＲＡＭ等で構成されるＲＦＩＤタグ（Radio Frequency Identification Tag）を搭載した携帯型リモコンキー、非接触型カードキー等の各種情報の記憶／書き換えが可能な記憶領域を有する各種記憶媒体で構成されている。施解錠キー２０は、利用者毎に施解錠可能な権限が付与された電気錠装置１０に対して個体識別情報が事前登録され、この個体識別情報と各電気錠装置１０の施解錠操作に必要な鍵ＩＤとを含む情報を施解錠情報として記憶した状態で発行される。
【００１６】
また、施解錠キー２０は、ユーザが所有する既存の施解錠キー２０の施解錠情報を移行して新たな施解錠キー２０が生成可能な構成である。この新たな施解錠キー２０となり得る機器としては、既存の施解錠キー２０との間で赤外線通信やＲＦＩＤタグによる近距離無線通信（施解錠キー２０同士若しくは何れかの施解錠キー２０とＵＳＢ接続した別構成のリーダ／ライタを介する通信でも可）による施解錠情報の移行が可能であり、且つインターネット等のコンピュータネットワークに接続可能で施解錠操作時に起動する施解錠操作用アプリケーション（以下、単に「施解錠アプリ」と称する）がインストール可能なスマートフォンを含む各種携帯電話やＰＤＡ（Personal Digital Assistant）等の通信端末が使用可能である。
【００１７】
ここで、既存の施解錠キー２０（既存施解錠キー２０Ａとする）から新規の施解錠キー２０（新規施解錠キー２０Ｂ）に対する施解錠情報の移行処理について図２を参照しながら説明する。
【００１８】
図２に示すように、既存施解錠キー２０Ａから新規施解錠キー２０Ｂへの施解錠情報移行に際し、まず、新規施解錠キー２０Ｂに対し、施解錠アプリをダウンロード後にインストールする。次に、新規施解錠キー２０Ｂが既存施解錠キー２０Ａから施解錠情報を受け取る必要があるため、既存施解錠キー２０Ａと新規施解錠キー２０Ｂとの間で施解錠情報の送受信が可能なように相互で通信可能な環境を整える。
【００１９】
相互間における通信環境の一例としては、既存施解錠キー２０Ａと新規施解錠２０Ｂとの間における赤外線通信環境、既存施解錠キー２０Ａと新規施解錠キーＢとの間における近距離無線通信環境、新規施解錠キー２０ＢにＵＳＢ接続による別構成のリーダ／ライタ装置（赤外線通信、近距離無線通信は問わず）を介する通信環境等が挙げられる。
【００２０】
そして、上記の何れかの通信環境下において、新規施解錠キー２０Ｂで施解錠アプリを起動した状態で既存施解錠キー２０Ａから新規施解錠キー２０Ｂに施解錠データを移行する。また、既存施解錠キー２０Ａは、記憶する施解錠情報が新規施解錠キー２０Ｂに正常にダウンロードされたことを示すダウンロード完了通知として、既存施解錠キー２０Ａを使用不可にする使用不可設定情報を新規施解錠キー２０Ｂから入力すると、記憶する施解錠情報を使用不可にする使用不可フラグを立てて、既存施解錠キー２０Ａの使用制限をかける。
【００２１】
一例として、施解錠情報の使用可能／不可設定情報としてフラグ領域を施解錠情報のデータフレーム内に設け、使用可能フラグを「０」、使用不可フラグを「１」とした構成の場合に、施解錠キー２０ｂから使用不可設定情報を入力したときに「１」のフラグを立てることで、既存施解錠キー２０Ａの使用不可設定を行っている。
【００２２】
さらに、新規施解錠キー２０Ｂに移行した施解錠情報を、再度既存施解錠キー２０Ａに戻すこともできる。この場合は、図３に示すように、既存施解錠キー２０Ａと新規施解錠キー２０Ｂとの間の通信環境を整えた後、新規施解錠キー２０Ｂから既存施解錠キー２０Ａに対して施解錠情報を送信する。
【００２３】
施解錠キーＡは、施解錠情報を正常にダウンロードすると、このことを示すダウンロード完了通知を新規施解錠キー２０Ｂに送信する。そして、新規施解錠キー２０Ｂは、ダウンロード完了通知に応じて既存施解錠キー２０Ａに使用可能フラグを立てる使用可能設定情報を送信し、既存施解錠キー２０Ａに使用可能フラグを立てる。すなわち、使用可能設定情報を入力したときに「０」のフラグを立てることで、既存施解錠キー２０Ａの使用可能設定を行っている。
【００２４】
なお、既存施解錠キー２０Ａから新規施解錠キー２０Ｂへの施解錠情報の移行及び新規施解錠キー２０Ｂから既存施解錠キー２０Ａへの再移行の際に出力される使用不可設定情報又は使用可能設定情報は、施解錠アプリによって移行処理に応じて適宜生成される情報である。
【００２５】
また、施解錠情報を移行した新規施解錠キー２０Ｂに記憶される施解錠情報は、既存施解錠キー２０Ａに完全に移行した時点で施解錠アプリによって消去される構成とすることもできる。
【００２６】
電気錠装置１０は、図１に示すように、情報読取部１１、電気錠制御部１２、記憶部１３、施解錠機構１４、電源部１５で構成される。
【００２７】
情報読取部１１は、施解錠キー２０から近距離無線通信によって施解錠情報を読み取るためのリーダ装置を構成される。情報読取部は、一定周期で所定範囲内に近接する施解錠キー２０に対してポーリングを行っており、施解錠キー２０が所定範囲内に近接した際に施解錠操作時に必要な施解錠情報の読み取りを行う。そして、情報読取部は、施解錠キー２０が記憶する施解錠情報（鍵ＩＤ、個体識別情報）を読み取って電気錠制御部１２に送信している。
【００２８】
なお、施解錠キー２０からの施解錠情報の読み取り方法としては、上記のようなポーリングによる読み取りの他、省電力化を図る目的として施解錠操作の意思を確認するため、電気錠装置１０の所定箇所に設けた施解錠時操作ボタンが操作されたときにのみ施解錠キー２０から読み取りを行う構成とすることもできる。
【００２９】
また、情報読取部１１は、例えば管理会社の職員が電気錠装置１０に保存された扉開閉か施解錠操作に関するログ情報等のモニタ情報を回収するような構成とする場合は、管理情報を電気錠装置１０から取得できるように、リード機能に加えて所定の記憶媒体に対する書き込みを行うためのライタ機能を備えたリーダ／ライタ装置を採用することもできる。
【００３０】
電気錠制御部１２は、例えばＣＰＵやＲＯＭ，ＲＡＭなどを有するマイクロコンピュータで構成され、電気錠装置１０を構成する各部の駆動制御を行っている。電気錠制御部１２は、まず、施解錠操作時に施解錠キー２０から読み取った施解錠情報と、施解錠キー２０の個体識別情報が事前登録されたものか否かの判定を行い、登録済みであることを確認すると、次に読み取った鍵ＩＤと記憶部１３に記憶された認証用鍵ＩＤとを照合して正当性を判別し、正当であると判定した場合にのみ、現在の錠前や扉の状態に応じた駆動制御信号を施解錠機構１４に送信している。
【００３１】
記憶部１３は、例えば磁気的、光学的記憶媒体若しくはＲＯＭ、ＲＡＭ等の半導体メモリで構成される。記憶部１３は、電気錠装置１０を構成している各機器の機器情報、施解錠キー２０毎の個体識別情報、情報読取部１１で読み取った鍵ＩＤが錠前を施解錠する正当な情報であるか否かを判別するための認証用鍵ＩＤ、モニタ情報としての状態信号（扉の開閉状態信号や錠前の施解錠状態信号、施解錠操作履歴）等の施解錠制御に関する各種データを記憶している。
【００３２】
施解錠機構１４は、例えばモータやソレノイド等の駆動装置と錠前で構成され、電気錠制御部１２から入力される駆動制御信号により錠前を施錠または解錠するべく駆動し、扉枠の係止穴に対してデッドボルトを突出（施錠時）又は引き込む（解錠時）ことにより錠前が施解錠される。
【００３３】
電源部１５は、商用電源（ＡＣ１００Ｖ）を外部電源として電源の供給を受け、電気錠制御部１２の制御により、各部に駆動電源を供給している。また、電源部１５の構成として例えば本装置がスタンドアロンな構成で使用する場合、ボタン電池や乾電池（一次電池、二次電池を問わず）等の各種電池が着脱交換可能な電源ユニットで構成し、扉の所定箇所若しくは扉近傍に設けても良い。
【００３４】
そして、上述した電気錠システムでは、予め使用用途に応じて施解錠対象となる電気錠装置１０に対して登録作業が行われた既存施解錠キー２０Ａから、新規施解錠キー２０Ｂに施解錠情報を移行する場合は、既存施解錠キー２０Ａと新規施解錠キー２０Ｂとの間で相互に通信可能な通信環境を整え、新規施解錠キー２０Ｂに対して既存施解錠キー２０Ａから施解錠情報を送信する。
【００３５】
また、施解錠情報を記憶した新規施解錠キー２０は、施解錠情報が正常にダウンロードしたことを示すダウンロード完了通知として使用不可設定情報を既存施解錠キー２０Ａに出力し、既存施解錠キー２０Ａに記憶される施解錠情報を使用不可にする使用不可フラグを立てる。これにより、既存施解錠キー２０Ａは使用不可となり、ユーザは施解錠情報が書き込まれた新規施解錠キー２０Ｂで電気錠装置１０の施解錠を行うことになる。また、新規施解錠キー２０Ｂによる施解錠操作は、インストールした施解錠アプリを事前に起動させるか、或いは情報読取部１１への近接操作により自動で起動させて施解錠情報の送信を行っている。
【００３６】
さらに、新規施解錠キー２０Ｂの施解錠情報を既存施解錠キー２０Ａに戻す場合は、既存の既存施解錠キー２０Ａと新規施解錠キー２０Ｂとの間の通信環境を整えた後、新規施解錠キー２０Ｂから既存施解錠キー２０Ａに対して施解錠情報を送信する。既存施解錠キー２０Ａは、新規施解錠キー２０Ｂからの施解錠情報を正常にダウンロードすると、このことを示すダウンロード完了通知を新規施解錠キー２０Ｂに送信する。そして、新規施解錠キー２０Ｂは、ダウンロード完了通知を入力すると、既存施解錠キー２０Ａに対して使用可能フラグを立てる使用可能設定情報を送信し、既存施解錠キー２０Ａに使用可能フラグを立てることで、既存施解錠キー２０Ａが使用可能となる。
【００３７】
以上説明したように、上述した電気錠システム１では、既存施解錠キー２０Ａから新規施解錠キー２０Ｂとなる通信端末に対して施解錠情報をデータ移行し、その返信として正常に施解錠情報を保存したことを示すダウンロード完了通知として使用不可設定情報を既存施解錠キー２０Ａに対して送信して既存施解錠キー２０Ａを使用不可にする。
【００３８】
このように、既存施解錠キー２０Ａに記憶された施解錠情報を施解錠アプリをインストールした新規施解錠キー２０Ｂに移行する構成であるため、新規施解錠キー２０Ｂを施解錠対象となる電気錠装置１０に対して登録処理する必要なく、既存施解錠キー２０Ａの機能を継続して利用することができる。
【００３９】
また、既存施解錠キー２０Ａに保存された施解錠情報を新規施解錠キー２０Ｂに移行した際に、既存施解錠キー２０Ａに使用不可制限を掛けているため、万が一、既存施解錠キー２０Ａから施解錠情報が不正に移行された場合でも、容易に気が付くことができる。さらに、ユーザが所有する携帯電話等が施解錠キーとして機能するため、従来の施解錠キーを別途所持して外出する必要がなくなり紛失等の問題がなくなる。
【００４０】
ところで、上述した形態では、既存の施解錠キー２０から新規の施解錠キー２０となる通信端末に対して施解錠情報をダウンロードした後、既存施解錠キー２０Ａに対して使用不可フラグを立てるための使用不可設定情報を送信する構成で説明したが、これに限定されることはない。その他の使用形態例としては、例えば、既存施解錠キー２０Ａを使用不可にせず、予備の施解錠キー２０として保管しておくこと構成、保管した既存施解錠キー２０Ａと新規施解錠キー２０Ｂとを用途や利用者に応じて区別して使用する構成、新規施解錠キー２０Ａからさらに他の新規施解錠キー２０Ａへ施解錠情報を移行して施解錠キー２０の複製を行う構成等、利用者の利便性を考慮して既存施解錠キー２０Ａと新規施解錠キー２０Ｂとを適宜使用することができる。  
【符号の説明】
【００４１】
１…電気錠システム
１０…電気錠装置
１１…情報読取部
１２…電気錠制御部
１３…記憶部
１４…施解錠機構
１５…電源部
２０…施解錠キー（２０Ａ…既存施解錠キー、２０Ｂ…新規施解錠キー）
【図１】
2013185347.tif 000003
【図２】
2013185347.tif 000004
【図３】
2013185347.tif 000005